(57)【要約】      （修正有） 【課題】  カードを携行している場合は、常にスキミングの危険に晒されているので、スキミング犯罪を防止し、且つ、同種の犯罪を抑止する。【解決手段】  カードケースに可とう性のある磁気遮蔽材を用いて、キャッシュカードなどの磁気情報を保護し、同時に、前記磁気遮蔽型カードケースに、テープ状の磁気記録媒体を貼り付けて、犯罪防止用のダミー情報を登録できるようにして、正規カードの情報を保護する。また、前記磁気記録媒体の裏面に、粘着構造を施した構造を有し、市販の金属製カードケースになどの外面に貼付することもできる。【選択図】  図１
2006252494.tif 000002
【特許請求の範囲】
【請求項１】
キャッシュカードなどの磁気情報を、スキミングから保護することを目的とした、磁気遮蔽材を材質とするカードケースと、その外面に、テープ状の磁気記憶媒体（磁気ストライプ）を一体化した構造を特徴とする、磁気ストライプ部を有する磁気遮蔽型カードケースである。（図１参照）
【請求項２】
請求項１のカードケース部と、既存の磁気ストライプカード（ＪＩＳＸ６３０１等）を、貼り合わせた構造を有することを特徴とする、磁気遮蔽型カードケースである。（図２参照）
【請求項３】
テープ状の磁気記憶媒体（磁気ストライプシート）の裏面に、粘着加工を施した構造を有し、市販の金属製カードケースなどの外面に貼付することができる、粘着型磁気ストライプテープである。（図３参照）
なお、請求項１、請求項２及び請求項３の磁気記憶媒体については、形状は異なるが、目的、効果ともに同様のものである。
【発明の詳細な説明】
【技術分野】
【０００１】  本発明は、キャッシュカードやクレジットカードなど（以下キャッシュカード等という）のカードケースに関するものであり、カードケースの材質及び機能に工夫を加えることにより、スキミング行為からキャッシュカード等の磁気情報を保護し、かつ、スキミング犯罪を抑止することを目的としたものである。
【技術背景】
【０００２】  現在、キャッシュカード等の磁気情報を保護するものとしては、金属製のカードケースがある。
【０００３】  また、カード偽造及び悪用の防止対策として、ハード面では、ＩＣカード化、ソフト面では、預金引き落とし等の取引時間帯予約などの施策が検討されている。
【発明の開示】
【発明が解決しようとする課題】
【０００４】  昨今、他人のキャッシュカードやクレジットカード（以下キャッシュカード等という）の磁気情報を窃取し、カードを偽造し用いることにより、他人の預金を不正に引き落としたり、他人を装い、クレジット詐欺等を行ったりというスキミング犯罪が増加している。
これまでの犯罪事例から判明していることは、キャッシュカード等データの窃取偽造方法として２つの事例が存在することである。
それは、レクリエーション施設等の使用ロッカーから他人のカード自体を盗み出し、接触型のスキミング機器により磁気情報を窃取偽造する方法と、非接触型のスキミング機器を用い、所有者携行時に窃取偽造する方法が存在する。
前者は、個人への注意喚起及びロッカー提供者の管理強化により防止することが可能であるが、後者については、日常接触する不特定多数の他人に対し、常時注意を払うことは、現実に不可能であることから、カードを携行している場合は常にスキミングの危険に晒されていることになる。
本発明は、後者の方法に対する課題を解消することを目的とするものである。【０００５】  また、現在、キャッシュカード等の磁気情報を保護するものとしては、金属製のカードケースがあるが、金属性の場合は、可とう性がないため、例えば、ズボンの後ろポケットなどに収納した場合は、変形するため、携行時の収納場所がバックの中や、上着のポケットなどに制限されるため、非常に不便であり、スキミング防止の観点からも、危険性が更に増加することになる。
【課題を解決するための手段】
【０００６】  この課題を解決するため、キャッシュカード等の磁気情報を保護する目的としたカードケースであり、その材質としては、市販されている、可とう性のある磁気遮蔽材を用いる。【０００７】  また、ケースの外面には、テープ状の磁気記憶媒体（磁気ストライプ）を貼り付け一体化することにより、犯罪防止用の磁気情報を登録することができる。【０００８】  この犯罪防止用の磁気情報とは、例えば、キャッシュカードを例に取れば、カードの磁気情報と同様の現金を引き出すための現金自動支払機（以下、ＡＴＭ等という）から銀行のホストセンターへ、アクセスするためのダミー口座情報（以下、ダミー口座等情報という）のことである。
このダミー口座等情報を登録したカードケースに、正規のキャッシュカードを収納することによりすることにより、正規カードの情報は遮蔽し保護され、スキミング時には、犯罪防止用のダミー口座等の情報が窃取されることとなり、カード偽造使用時には、その情報が窃取した者だけしか知り得ない情報であることから、種々の犯罪防止対策を講じることができる。【０００９】  請求項３は、目的は同様であるが、現在使用されている金属性ハードケース等、どんなものにでも貼付することが可能な構造を有していることから、本発明を、より安価で早期に普及することを目的とした物であり、効果は請求項１及び請求項２と同様である。
【発明の効果】
【００１０】  本発明品の磁気ストライプ部に、ダミー口座等情報などの磁気情報を登録しておくことにより、ＡＴＭ等のホストセンターにおける認証識別（この際、使用する認証パスワードは簡単な記号番号を登録しておく）により不正アクセス者の特定及び犯人の早期検挙などの仕組みを、構築することが可能となる。【００１１】  本発明品の導入と、本発明品を利用した犯罪防止のプロセスを、広く公表することにより、犯罪を目的として窃取した磁気情報が犯罪防止用のダミー口座等の情報であるかどうかは、敢えて、検挙の危険を冒し、ＡＴＭ等でアクセスを試みなければわからないことから、スキミング犯罪自体を抑止することが可能であり、対策費用も低いことから、金融機関、クレジット会社等のスキミング防止対策として有効である。【００１２】  また、この犯罪防止プロセスにおいて、ＡＴＭ等のホストセンターでのプログラム処理を付加することにより、お客様への不正アクセス通知や、ＡＴＭなど端末装置側における遠隔制御による、犯人のカメラ撮影や、警報発出などの犯人特定に結びつく即応措置が対策として準備できる。
これらの活用システムについては、既存の遠隔制御技術で汎用性があるため割愛するが、遠隔警備を受託する会社等の受託業務としての活用も期待できる。
【発明を実施するための最良の形態】
【００１３】  カードケースの材質は、一般市場で入手可能な、珪素銅、ニッケル等の薄膜フィルム、或いは、ポリエステルやアクリル繊維に金属薄膜メッキを施したシート状の電磁遮蔽材を使用し、現在、一般的に使用されているキャッシュカードやクレジットカード（縦５４．０ｍｍ×横８５．７ｍｍ×厚さ０．７６ｍｍ／国際規格：ＪＩＳＸ６３０１等）全面がピッタリと収納できるカードケースである。（図１参照）【００１４】  または、製造コストを抑えるため、請求項１のカードケース部と、既存の磁気情報の登録されていない磁気ストライプカードを、単純に張り合わせることにより製造する形態がある。【００１５】  粘着型磁気ストライプシートは、現在、キャッシュカード等で使用されているＪＩＳ−Ｉ、ＩＩ磁気テープ（国内規格）、または、ＩＳＯ磁気テープ（国際規格）の裏面に、粘着材等の粘着加工を施した形状を有する、どこにでも貼付することが可能な磁気ストライプシートである。
【産業上の利用可能性】
【００１６】  スキミング犯罪の対策として現在考えられているのは、キャッシュカード等のＩＣカード化等であるが、カード自体も高く、端末機、ホストコンピュータ等の更改、改造が必要であり、多額の投資を必要とすることから、全社会に普及するには時間を要することになるが、本発明品は、既存のカード製造技術等で工業的に量産する事が可能であり、安価であるため、早期普及が可能であると同時に、既存システムを変更することなくスキミング対策を講じられることから、産業上の利用の可能性は極めて高い。
【図面の簡単な説明】
【００１７】
【図１】  磁気ストライプ部を有する磁気遮蔽型カードケースの全体図である。
【図２】  請求項２の磁気遮蔽型カードケースの構造図である。
【図３】  粘着型磁気ストライプテープの構造図である。
【図１】
2006252494.tif 000003
【図２】
2006252494.tif 000004
【図３】
2006252494.tif 000005